(57)【要約】【課題】第１に、面強度が向上し、経年使用，地震等による劣化や小動物による獣害に起因した、亀裂等の破損が生じにくく、第２に、もって断熱性やコスト面に優れると共に、作業性にも優れた、断熱材の施工方法を提案する。【解決手段】この断熱材３の施工方法では、まず施工対象箇所Ｄについて、プレート状のハニカムコア４を、セル軸方向５を断熱方向に向けて配設する。それから、プラスチック前駆体６をハニカムコア４に吹き付け、発泡させて発泡プラスチック７を生成すると共に、ハニカムコア４を芯材として埋め込む。発泡プラスチック７は、ハニカムコア４の各セル８にそれぞれ充填された充填部９と、セル８の開口端面を被覆する被覆部１０とが、一体形成される。発泡プラスチック７としては、発泡ポリウレタン，発泡スチロール，発泡ポリプロピレン，又は発泡ポリエチレンの何れかが、選択使用される。【選択図】図１
2019073890.tif 000002
【特許請求の範囲】
【請求項１】
断熱材の施工方法であって、まず施工対象箇所について、プレート状のハニカムコアを、セル軸方向を断熱方向に向けて配設してから、
プラスチック前駆体を該ハニカムコアに吹き付け、もって発泡させて発泡プラスチックを生成すると共に、該ハニカムコアを芯材として埋め込むことにより、断熱材が施工されること、を特徴とする断熱材の施工方法。
【請求項２】
請求項１において、該ハニカムコアは、まず施工対象箇所の壁板について予め接着その他により配設され、
該発泡プラスチックは、スプレーによる吹き付けと共に発泡生成され、該ハニカムコアの各セルにそれぞれ充填された充填部と、該セルの開口端面を被覆する被覆部とが一体形成されること、を特徴とする断熱材の施工方法。
【請求項３】
請求項２において、該発泡プラスチックは、発泡ポリウレタン，発泡スチロール，発泡ポリプロピレン，又は発泡ポリエチレンの何れかが、選択使用されること、を特徴とする断熱材の施工方法。
【請求項４】
請求項２において、該断熱材は、建築物の側壁，天井壁，又は床壁について、外気との断熱用に施工され、施工対象箇所が、周囲の壁枠間において内外壁板に添って設定されること、を特徴とする断熱材の施工方法。
【発明の詳細な説明】
【技術分野】
【０００１】
本発明は、断熱材の施工方法に関する。すなわち、亀裂等の破損が生じにくい、断熱材の施工方法、に関するものである。
【背景技術】
【０００２】
《技術的背景および従来技術》
断熱材は、建築物，貨物車輌，クーラーボックス，その他の各種壁について、外気との断熱用に施工される。高温部の保温用や低温部の保冷用に施工される。
図２の（１）図は、断熱材１を建築物の壁板に施工した、従来の代表例を示す。同図において、断熱材１は、熱伝導率が小さい発泡プラスチック２製よりなり、周囲の壁枠（柱や梁）Ａ間において、内外の壁板に添って介在配設されていた。
【先行技術文献】
【特許文献】
【０００３】
このような断熱材１としては、例えば、次の特許文献１に示されたものが挙げられる。
【特許文献１】特開２００１−１６５３８７号公報
【発明の概要】
【発明が解決しようとする課題】
【０００４】
ところで、従来の断熱材１については、次の課題が問題として指摘されていた。従来の断熱材１は、亀裂等の破損が生じ易く、断熱性が維持できなくなることが多い、という問題が指摘されていた。
すなわち、経年使用や地震等により、断熱材１の発泡プラスチック２が劣化して、亀裂，穴，破れ，割れ，クラック，崩れ等の破損が、発生し易かった。
又、イタチ，ハクビシン，ネズミ等の小動物により、断熱材１発泡プラスチック２が、食い破られ引きちぎられる獣害も多々あり、この面からも亀裂その他の破損が、発生し易かった。
もって、従来の断熱材１は、断熱性を維持できる期間が短く、交換頻度が高かった。又、壁板の外の外見からは、断熱材１の亀裂その他の破損発生箇所が、確認できない場合も多く、その場合は、壁板広く壊して断熱材１の交換工事が行われていた。
これらにより、コスト負担が嵩むという指摘もあった。
【０００５】
《本発明について》
本発明の断熱材の施工方法は、このような実情に鑑み、上記従来技術の課題を解決すべくなされたものである。
そして本発明は、第１に、面強度が向上し、亀裂等の破損が生じにくく、第２に、もって断熱性やコスト面に優れると共に、作業性にも優れた、断熱材の施工方法を提案することを目的とする。
【課題を解決するための手段】
【０００６】
《各請求項について》
このような課題を解決する本発明の技術的手段は、特許請求の範囲に記載したように、次のとおりである。
請求項１については、次のとおり。
請求項１の断熱材の施工方法は、まず施工対象箇所について、プレート状のハニカムコアを、セル軸方向を断熱方向に向けて配設する。
それから、プラスチック前駆体を該ハニカムコアに吹き付け、もって発泡させて発泡プラスチックを生成すると共に、該ハニカムコアを芯材として埋め込む。このようにして、断熱材が施工されること、を特徴とする。
【０００７】
請求項２については、次のとおり。
請求項２の断熱材の施工方法では、請求項１において、該ハニカムコアは、まず施工対象箇所の壁板について、予め接着その他により配設される。
該発泡プラスチックは、スプレーによる吹き付けと共に発泡生成され、該ハニカムコアの各セルにそれぞれ充填された充填部と、該セルの開口端面を被覆する被覆部とが一体形成されること、を特徴とする。
請求項３については、次のとおり。
請求項３の断熱材の施工方法では、請求項２において、該発泡プラスチックは、発泡ポリウレタン，発泡スチロール，発泡ポリプロピレン，又は発泡ポリエチレンの何れかが、選択使用されること、を特徴とする。
請求項４については、次のとおり。
請求項４の断熱材の施工方法では、請求項２において、該断熱材は、建築物の側壁，天井壁，又は床壁について、外気との断熱用に施工される。そして施工対象箇所が、周囲の壁枠間において内外壁板に添って設定されること、を特徴とする。
【０００８】
《作用等について》
本発明は、このような手段よりなるので、次のようになる。
（１）この施工方法では、まず施工対象箇所について、プレート状のハニカムコアが配設される。
（２）それから、このように配設されたハニカムコアに、プラスチック前駆体が吹き付けられる。
（３）すると、プラスチック前駆体が、発泡して発泡プラスチックを生成し、ハニカムコアが、芯材として埋め込まれる。
（４）発泡プラスチックは、埋め込みに伴いハニカムコアの各セルに充填される充填部と、開口端面を被覆閉鎖する被覆部とが、一体形成される。
（５）このような工程を辿って、断熱材が施工される。
（６）このように施工された断熱材は、埋め込まれたハニカムコアの特性に基づき、発泡プラスチックが補強されており、面強度に優れている。
（７）そこで、この断熱材は、劣化，亀裂，穴，破れ，割れ，クラック，崩れ等の破損発生が、抑制される。
（８）もって、この断熱材は、断熱性を長期間維持可能である。
（９）そして、この施工方法は、事後の加工作業を特に要しない等、施工が簡単容易である。なお壁枠からはみ出し，突出した発泡プラスチックのカット作業は、支障なく可能である。
（１０）そこで、本発明は次の効果を発揮する。
【発明の効果】
【０００９】
《第１の効果》
第１に、面強度が向上し、亀裂等の破損が生じにくくなる。
本発明の断熱材の施工方法では、ハニカムコアを予め配設しておいてから、プラスチック前駆体を吹き付けて、ハニカムコアを発泡プラスチックで埋め込む。
もって、この施工方法で施工された断熱材は、発泡プラスチックが埋め込まれたハニカムコアで補強されており、大きな面強度を付与されている。そこで、前述したこの種従来例の断熱材に比べ、亀裂等の破損が生じにくくなる。
すなわち、経年使用や地震等による劣化や、小動物による食い破り，引きちぎり等の獣害により、亀裂，穴，破れ，割れ，クラック，崩れ等の破損発生が、防止されるようになる。
【００１０】
《第２の効果》
第２に、断熱性やコスト面に優れると共に、作業性にも優れている。
本発明の施工方法で施工された断熱材は、前述したように、亀裂等の破損が生じにくいので、その分だけ断熱性に優れており、断熱性を長期間維持可能である。もって断熱材の交換頻度が低く、コスト面に優れている。
又、壁板の外の外見からは、断熱材について亀裂等の破損発生箇所を確認することは容易ではないが、このように破損が生じにくいので、内壁板や外壁板を無駄に広く壊してから、断熱材の交換工事を行う頻度も減少する。もって、この面からもコスト面に優れている。
更に、この施工方法は、発泡プラスチック等について事後の後加工作業は特に要しない等、施工が簡単容易である。
なお吹き付けに際し、壁枠からはみ出し，突出してしまった発泡プラスチックが存する場合は、そのカット作業が行われるが、カット作業は何ら支障なく可能である。このように各種作業性にも優れている。
このように、この種従来技術に存した課題がすべて解決される等、本発明の発揮する効果は、顕著にして大なるものがある。
【図面の簡単な説明】
【００１１】
【図１】本発明に係る断熱材の施工方法について、発明を実施するための形態の説明に供する。そして（１）図は、ハニカムコアの配設ステップの正面説明図、（２）図は、プラスチックの吹付けステップで得られた断熱材等の正断面説明図、（３）図は、同断熱材等の側断面説明図である。
【図２】（１）図は、従来例の断熱材の正面説明図である。（２）図は、ハニカムコアの斜視図である。
【図３】本発明の施工例の写真であり、（１）図は、住宅の例、（２）図は、キャンピングカーの例を示す。
【発明を実施するための形態】
【００１２】
以下、本発明を実施するための形態について、図１，図２の（２）図，図３等の図面を参照して、詳細に説明する。
《本発明の概要》
まず、本発明の概要については、次のとおり。
この断熱材３の施工方法では、まず施工対象箇所Ｄについて、プレート状のハニカムコア４を、セル軸方向５を断熱方向に向けて配設する。
それから、プラスチック前駆体６をハニカムコア４に吹き付け、発泡させて発泡プラスチック７を生成すると共に、ハニカムコア４を芯材として埋め込む。このようにして、断熱材３が施工される。
なお発泡プラスチック７は、ハニカムコア４の各セル８にそれぞれ充填された充填部９と、セル８の開口端面を被覆する被覆部１０とが、一体形成される。
本発明の概要については、以上のとおり。以下、本発明の施工方法について、更に詳述する。
【００１３】
《ハニカムコア４の配設ステップについて》
この断熱材３の施工方法では、図１の（１）図に示したように、まず施工対象箇所Ｄの内壁板Ｂ又は外壁板Ｃについて、プレート状のハニカムコア４を、セル軸方向５を断熱方向に向けて、接着その他により予め配設する。
このようなハニカムコア４の配設ステップについて、更に詳述する。まず前提として、ハニカムコア４について、図２の（２）図を参照して、一般的に説明しておく。
ハニカムコア４は、セル壁１１にて区画形成された、中空柱状の多数のセル８の平面的集合体よりなる。もって、重量比強度に優れ、軽量であると共にセル軸方向５の圧縮強度，剛性に優れており、平面精度にも優れる等の特性を備えている。
ハニカムコア４の母材としては、アルミニウムその他の金属や、プラスチックや、繊維強化プラスチック（ＦＲＰ）等が、用いられる。セル壁１１そしてセル８の断面形状は、図示の正六角形が代表的であるが、略三角形，略四角形，その他各種形状のものも可能である。
【００１４】
そして、この施工方法では、まず、このようなハニカムコア４のプレートが、図１の（１）図に示したように、施工対象箇所Ｄに、セル軸方向５を内外の断熱方向に向けて配設される。
断熱材３は、例えば建築物の側壁，天井壁，又は床壁について、外気との断熱用に施工されるが、その施工対象箇所Ｄは、左右上下つまり周囲の壁枠（柱や梁）Ａ間において、前後の内壁板Ｂや外壁板Ｃに添って設定される。
施工対象箇所Ｄでのハニカムコア４の配設方法については、次のとおり。接着剤やタッカーを用いて、内壁板Ｂ又は外壁板Ｃに対して直接止着するのが一般的であるが、これによらず、周囲の壁枠Ａに対して止着するようにしてもよい。
ハニカムコア４の配設ステップについては、以上のとおり。
【００１５】
《発泡プラスチック７による埋め込みステップについて》
次に、この断熱材３の施工方法では、図１の（２）図，（３）図や、図３の（１）図，（２）図に示したように、前述により施工対象箇所Ｄに配設されたハニカムコア４に対し、プラスチック前駆体６がスプレーにて吹き付けられる。もって、発泡させて発泡プラスチック７が生成されると共に、ハニカムコア４を芯材として埋め込む。このようにして、断熱材３が施工される。
【００１６】
このような発泡プラスチック７の埋め込みステップについて、更に詳述する。
発泡プラスチック７としては、発泡ポリウレタン（ウレタンフォーム），発泡スチロール（ポリスチレンフォーム），発泡ポリプロピレン，又は発泡ポリエチレンの何れかが、選択使用される。いずれも熱伝導率が小さく、断熱性に富んでいる。
そして、この断熱材３の施工方法では、このような発泡プラスチック７の発泡前樹脂、つまり発泡プラスチック前駆体６が、→施工対象箇所のハニカムコア４に対し、スプレーにて吹き付けられる。
→ハニカムコア４に吹き付けられたプラスチック前駆体６は、吹き付けに伴い空気に触れて泡を発生し、多泡性の発泡プラスチック７が生成される。加熱により発泡せしめる場合もある。
→もってハニカムコア４が、このように生成された発泡プラスチック７中に、芯材として埋め込まれる。この施工方法では、このようなステップを辿って、断熱材３が施工される。
【００１７】
ところで、埋め込まれたハニカムコア４については、その各セル８が発泡プラスチック７にて充填され、充填部９が形成されている。これに加え、更にハニカムコア４については、埋め込みにより、被覆部１０が次のａ，ｂ，ｃの各種態様で形成される。
ａ．被覆部１０が、ハニカムコア４の各セル８の開口端面の一方のみを、被覆閉鎖する態様。
ｂ．被覆部１０が、各セル８の開口端面の両方を、被覆閉鎖する態様（図１の（３）図を参照）。
ｃ．被覆部１０が、上記ａ，ｂに加え、更にハニカムコア４の側外表面（開口端面との直交面）をも、被覆する態様。
いずれの態様にあっても、このような被覆部１０は、各セル８に充填された充填部９と、一体的に形成される。
発泡プラスチック７による埋め込みステップについては、以上のとおり。
【００１８】
《作用等》
本発明の断熱材３の施工方法は、以上説明したように構成されている。そこで、以下のようになる。
（１）この施工方法では、まず、施工対象箇所Ｄの内壁板Ｂ又は外壁板Ｃについて、プレート状のハニカムコア４が、予め配設される（図１の（１）図，図３の（１）図を参照）。
例えば、建築物，貨物車輌，クーラーボックス，その他の各種壁について、外気との断熱用として、例えば保温用や保冷用として、その施工対象箇所Ｄに、ハニカムコア４が接着等により配設される。
【００１９】
（２）それから、このように配設されたハニカムコア４に対し、プラスチック前駆体６が、スプレーにて吹き付けられる（図１の（２）図，図３の（１）図を参照）。
【００２０】
（３）吹き付けられたプラスチック前駆体６は、発泡して発泡プラスチック７を生成する。もってハニカムコア４は、このような発泡プラスチック７中に、芯材として埋め込まれる（図１の（３）図を参照）。
【００２１】
（４）なお発泡プラスチック７は、埋め込みに伴いハニカムコア４の各セル８に充填される充填部９と、セル８の開口端面を被覆閉鎖する被覆部１０とが、一体形成される（図１の（３）図を参照）。
【００２２】
（５）この施工方法は、このようなステップ工程を辿って、断熱材３が施工される。そして、施工された断熱材３が、例えば建築物，車輌，クーラーボックス等の内壁板Ｂと外壁板Ｃ間に、介在配設される（図１の（１）図の住宅の例や、（２）図のキャンピングカーの例を参照）。
【００２３】
（６）さてそこで、この施工方法で施工された断熱材３は、埋め込まれたハニカムコア４の特性に基づき、発泡プラスチック７が補強されている。
すなわち、この断熱材３は、ハニカムコア４の重量比強度に強度に優れるという特性に基づき、強度，剛性が付与されており、面強度に優れている。
【００２４】
（７）そこで、この断熱材３は、経年使用，地震，獣害，その他による劣化，亀裂，穴，破れ，割れ，クラック，崩れ等の破損発生が、大きく抑制される。
【００２５】
（８）この施工方法で施工された断熱材３は、このように破損発生が抑制されるので、断熱性に優れている。すなわち、断熱性を長期間維持，発揮可能であり、断熱材の交換工事の頻度が減少する。
【００２６】
（９）この施工方法は、ハニカムコア４の配設や発泡プラスチック７の吹き付け，埋め込みの後、加工作業等は特に不要であり、施工が簡単容易である。
なお吹き付けに際し、壁枠Ａからはみ出し，突出してしまった発泡プラスチック７があった場合については、支障なくカット作業可能である。
本発明の作用等については、以上のとおり。
【００２７】
なお、ハニカムコア４に代えて、格子体を用いることが考えられる。
すなわち、本発明では、あくまでもハニカムコア４が使用されるが、本発明に準じ、ハニカムコア４に代えて、格子体を用いることも別途考えられる。
格子体は、細長直線材が縦横に間隔を存しつつ組み付けられた構造よりなり、多くの場合、網目状や碁盤目状をなしている。その直線材がセル壁１１に相当し、間隔がセル８に相当する。
【符号の説明】
【００２８】
１    断熱材（従来例）
２    発泡プラスチック（従来例）
３    断熱材（本発明）
４    ハニカムコア
５    セル軸方向
６    プラスチック前駆体
７    発泡プラスチック（本発明）
８    セル
９    充填部
１０    被覆部
１１    セル壁
Ａ    壁枠
Ｂ    内壁板
Ｃ    外壁板
Ｄ    施工対象箇所
【図１】
2019073890.tif 000003
【図２】
2019073890.tif 000004
【図３】
2019073890.tif 000005